(57)【要約】      （修正有）【課題】負圧を充分に確保し、吸着力を増大できる吸盤体及び吸盤装置を提供する。【解決手段】吸盤装置１は、基盤２と複数の吸盤体３とで構成されている。前記基盤２は、例えば比較的硬度の高い樹脂を用いて円盤状に形成されている。前記吸盤体３は、弾力性を有する樹脂を用いて、第１吸盤５と、第２吸盤６と、取付部とを一体形成する。前記第１吸盤５は、碗状を成す本体の内面に凹状の第１吸着凹面５ｂを有し、外面に凸状の第１背面を有する。前記第２吸盤６は、前記第１吸着凹面５ｂ内の中心部に形成されている。この第２吸盤６は、前記第１吸盤５と同様に碗状を成す本体に、第２吸着凹面６ｂと、第２背面とを形成したものであり、また、中心部に形成された円柱状の支持軸により前記第１吸盤５に一体的に結合されている。【選択図】図３
0003168315.tif 000002
【実用新案登録請求の範囲】
【請求項１】
被吸着面に負圧を利用して吸着する吸盤体において、
吸着凹面を有する第１吸盤と、
該第１吸盤の吸着凹面内に一体的に設けられ、前記第１吸盤より小径の吸着凹面を有する第２吸盤とを備えた
ことを特徴とする吸盤体。
【請求項２】
基盤に、請求項１に記載の吸盤体を複数設けた
ことを特徴とする吸盤装置。
【考案の詳細な説明】
【技術分野】
【０００１】
本考案は、被吸着面に負圧を利用して吸着する吸盤体及び該吸盤体を備えた吸盤装置に関する。
【背景技術】
【０００２】
従来から、被吸着面に押し付けることにより負圧を発生させ、該負圧により被吸着面に取り付けるようにした吸盤体が市販されている。この吸盤体は、装飾品，台所の洗剤受け，タオル等を平滑な壁，タイルやステンレス製のシンク等の被吸着面に取り付けるのに利用されている。
【０００３】
この種の吸盤体として、例えば、特許文献１には、１つの吸着凹面を有する吸盤体を被吸着面に取り付けたものが開示されている。
【先行技術文献】
【特許文献】
【０００４】
【特許文献１】特開平１１−２２７１７号公報
【考案の概要】
【考案が解決しようとする課題】
【０００５】
ところで、前記従来の吸盤体では、吸着凹面が１つのため、吸着力が不十分であり、吸盤体に比較的大きな負荷が掛かると、被吸着面から容易に脱落するという問題がある。
【０００６】
また、前記吸着凹面を形成する部分の材質が硬化する等、何らかの問題が生じると負圧を充分に確保できず、この点からも被吸着面から脱落し易いという問題がある。
【０００７】
本考案は、前記従来の状況に鑑みてなされたもので、負圧を充分に確保することができ、吸着力を増大できる吸盤体及び吸盤装置を提供することを課題としている。
【課題を解決するための手段】
【０００８】
請求項１の考案は、被吸着面に負圧を利用して吸着する吸盤体において、吸着凹面を有する第１吸盤と、該第１吸盤の吸着凹面内に一体的に設けられ、前記第１吸盤より小径の吸着凹面を有する第２吸盤とを備えたことを特徴としている。
【０００９】
請求項２の考案は、基盤に、請求項１に記載の吸盤体を複数設けたことを特徴としている。
【考案の効果】
【００１０】
請求項１の考案によれば、吸盤体に第１吸盤と第２吸盤とを備えたので、吸着力を増大できる。また、吸着凹面を２つ有するので、一方の吸盤に材質が硬化する等何らかの問題が生じても他方の吸盤で負圧を充分に確保することができ、この点からも被吸着面からの脱落を防止することができる。
【００１１】
また、前記吸盤体は、前記第１吸盤の吸着凹面と前記第２吸盤の吸着凹面とで支えられるため、従来の吸着凹面が１つの吸盤体と比較して、吸盤体自体の剛性が高く、この点からも大きな負荷に耐えることができる。
【００１２】
請求項２の考案によれば、基盤に、前記吸盤体を複数設けたので、吸着力を大幅に向上でき、大きな負荷に耐えることができる。また、被吸着面の平滑度が低い等により一部の吸盤体の吸着力が低い場合にも、残りの吸盤体により安定した吸着力が得られる。
【図面の簡単な説明】
【００１３】
【図１】本考案の実施例１に係る吸盤体の断面側面図である。
【図２】円形の基盤に前記吸盤体を複数取り付けた吸盤装置の底面図である。
【図３】前記吸盤装置の断面側面図（III-III線断面図）である。
【図４】前記吸盤体が基盤に取り付けられている状態を示す拡大断面側面図（図３のIV部拡大断面図）である。
【実施例１】
【００１４】
図１ないし図４は、本考案の実施例１による吸盤体及び吸盤装置を説明するための図である。
【００１５】
図において、１は吸盤装置を示しており、この吸盤装置１は、基盤２と複数の吸盤体３とで構成されている。
【００１６】
前記基盤２は、例えば比較的硬度の高い樹脂を用いて円盤状に形成されている。該基盤２の、下面２ａには複数の係合穴２ｂが形成され、上面２ｃの中央部には掛止部４が突設されている。
【００１７】
前記係合穴２ｂは、円筒形を成す挿入部２ｄと、該挿入部２ｄの上側に続いて形成され、該挿入部２ｄより大径の係止部２ｅとで構成されている。
【００１８】
前記吸盤体３は、弾力性を有する例えば樹脂を用いて、第１吸盤５と、第２吸盤６と、取付部７とを一体形成した構造のものである。
【００１９】
前記第１吸盤５は、碗状を成す本体５ａの内面に凹状の第１吸着凹面５ｂを有し、外面に凸状の第１背面５ｃを有する。詳細には、前記本体５ａは、中心部Ｏの上下方向の厚さＴが最も厚く、外方に向かって徐々に薄くなり、外縁部の厚さｔが最も薄くなるように形成されている。
【００２０】
前記取付部７は、前記第１背面５ｃの中心部Ｏに一体形成されている。この取付部７は、円柱状の胴部７ａと、前記胴部７ａに一体形成され、該胴部７ａより大径の係止部７ｂとを有する。
【００２１】
前記第２吸盤６は、前記第１吸着凹面５ｂ内の中心部Ｏに形成されている。この第２吸盤６は、前記第１吸盤５と同様に碗状を成す本体６ａに、第２吸着凹面６ｂと、第２背面６ｃとを形成したものであり、また、中心部Ｏに形成された円柱状の支持軸６ｄにより前記第１吸盤５に一体的に結合されている。また、前記本体６ａの中心部Ｏの上下方向の厚さＴ′が最も厚く、外方に向かって徐々に薄くなり、外縁部の厚さｔ′が最も薄くなっている。
【００２２】
前記基盤２の係合穴２ｂに前記取付部７が挿入され、前記基盤２の係止部２ｅに前記取付部７の係止部７ｂが係合されており、前記各吸盤体３は前記基盤２に固定されている。
【００２３】
本実施例の吸盤装置１を被吸着面Ｗに取り付けるには、前記各吸盤体３を前記被吸着面Ｗに当接させ、掛止部４を圧接し、続いて押圧力を緩める。すると、この押圧により、前記第１吸着凹面５ｂ，第２吸着凹面６ｂが平偏状に変形し、この吸着凹面５ｂ，６ｂと被吸着面Ｗとで囲まれた空間が狭くなり、続いて、前記押圧力を緩めることにより前記囲まれた空間が拡大する。これにより、前記第１吸着凹面５ｂと前記被吸着面Ｗとで囲まれた第１空間内の圧力が大気圧より低い負圧となり、同時に、前記第２吸着凹面６ｂと前記被吸着面Ｗとで囲まれた第２空間内の圧力も負圧になる。この負圧により前記吸盤体３ひいては吸盤装置１は前記被吸着面Ｗに吸着することとなる。
【００２４】
本実施例では、吸盤体３を第１吸盤５と第２吸盤６とを備えたものとしたので、吸着力を向上できる。また、一方の吸盤に、材質が硬化する等の何らかの問題が生じても他方の吸盤で負圧を充分に確保することができ、この点からも被吸着面Ｗからの脱落を防止することができる。
【００２５】
また、前記吸盤体３は、前記第１吸盤５の第１吸着凹面５ｂと前記第２吸盤６の第２吸着凹面６ｂとで支えられるため、従来の吸着面が１つの吸盤体と比較して、吸盤体３自体の剛性が高くなっており、この点からも大きな負荷に耐えることができる。
【００２６】
また、基盤２に、前記吸盤体３を複数設けたので、吸着力を大幅に向上でき、大きな負荷に耐えることができる。
【００２７】
また、被吸着面Ｗの平滑度が低い等により一部の吸盤体３の吸着力が低い場合にも、残りの吸盤体３により安定した吸着力が得られる。
【００２８】
なお、前記実施例では、基盤２を比較的高度の高い樹脂を用いた円盤状にした場合を説明したが、本考案の基盤は、樹脂製に限らず、金属製，木製等硬度の高いものであればよい。また、形状も円盤状に限らず、矩形等、吸盤体を複数取り付けられる形状であればよい。
【００２９】
また、前記実施例では、吸盤体３が弾力性を有する樹脂を用いたものである場合を説明したが、本考案の吸盤体は、樹脂製に限らず、ゴム製のものでもよい。
【符号の説明】
【００３０】
１  吸盤装置
２  基盤
３  吸盤体
５  第１吸盤
５ｂ  第１吸着凹面
６  第２吸盤
６ｂ  第２吸着凹面
Ｗ  被吸着面
【図１】
0003168315.tif 000003
【図２】
0003168315.tif 000004
【図３】
0003168315.tif 000005
【図４】
0003168315.tif 000006
【手続補正書】
【提出日】平成23年3月29日(2011.3.29)
【手続補正１】
【補正対象書類名】実用新案登録請求の範囲
【補正対象項目名】全文
【補正方法】変更
【補正の内容】
【実用新案登録請求の範囲】
【請求項１】
被吸着面に負圧を利用して吸着する吸盤体において、
吸着凹面を有する第１吸盤と、
該第１吸盤の吸着凹面内に一体的に設けられ、前記第１吸盤より小径の吸着凹面を有する第２吸盤とを備えた
ことを特徴とする吸盤体。
【請求項２】
板状の基盤に、請求項１に記載の吸盤体を複数設けた
ことを特徴とする吸盤装置。
【手続補正２】
【補正対象書類名】明細書
【補正対象項目名】０００９
【補正方法】変更
【補正の内容】
【０００９】
請求項２の考案は、板状の基盤に、請求項１に記載の吸盤体を複数設けたことを特徴としている。